(57)【要約】  膜型弁の開閉が安定化するようにすることにより、膜型弁を介した液状またはゲル状の内容物の吐出及び吐出遮断が円滑になされる膜型弁の開閉性能改善のための容器キャップである。【選択図】図１
2020504063.tif 000002
【特許請求の範囲】
【請求項１】
容器の入口に結合されるが、上端に、外部及び前記容器内部と連通する吐出口が形成された本体と、
前記吐出口に結合されるが、加圧いかんにより、中央部の微細通孔が開放または閉鎖される膜型弁と、
前記本体と前記膜型弁との間に結合されるが、前記吐出口上の前記膜型弁を支持する固定部材と、を含むが、
前記固定部材は、前記吐出口側から前記容器内側に続く一定長の延長部を具備するものである膜型弁の開閉性能改善のための容器キャップ。
【請求項２】
前記吐出口は、内周面に形成される係止爪を含むことを特徴とする請求項１に記載の膜型弁の開閉性能改善のための容器キャップ。
【請求項３】
前記膜型弁は、シリコンによって形成されるものであることを特徴とする請求項１に記載の膜型弁の開閉性能改善のための容器キャップ。
【請求項４】
前記膜型弁は、エッジに沿って形成される環状フックを含むものであることを特徴とする請求項１に記載の膜型弁の開閉性能改善のための容器キャップ。
【請求項５】
前記固定部材は、内周面に形成される支持爪を含むものであることを特徴とする請求項１に記載の膜型弁の開閉性能改善のための容器キャップ。
【請求項６】
前記延長部は、その内径が、前記固定部材の支持爪形成部位内径と同一に形成されるものであることを特徴とする請求項１に記載の膜型弁の開閉性能改善のための容器キャップ。
【請求項７】
前記延長部は、その内径が、前記固定部材の支持爪形成部位内径に比べて小さく形成されることを特徴とする請求項１に記載の膜型弁の開閉性能改善のための容器キャップ。
【請求項８】
前記延長部は、その内径が、前記固定部材の支持爪形成部位内径に比べて大きく形成されることを特徴とする請求項１に記載の膜型弁の開閉性能改善のための容器キャップ。
【発明の詳細な説明】
【技術分野】
【０００１】
本発明は、容器キャップに係り、さらに詳細には、膜型弁の開閉が安定されるようにすることにより、膜型弁を介した液状またはゲル状の内容物の吐出及び吐出遮断が円滑になされるようにする膜型弁の開閉性能改善のための容器キャップに関する。
【背景技術】
【０００２】
液状またはゲル状の内容物を収容する柔軟性容器の入口には、特許文献１などに開示されているような容器キャップが設けられ、内容物の吐出が制御される。
【０００３】
このとき、一般容器キャップＡ’は、図５に図示されているように、上面に吐出口１１’が形成されるので、容器１００加圧により、入口側に流動する内容物２００が吐出口１１’を介して吐出され、容器加圧解除により、吐出口１１’を介した内容物２００の吐出は、遮断される。
【０００４】
しかし、吐出口が形成された一般容器キャップは、内容物の吐出制御に困難さが伴うという問題があった。
【０００５】
すなわち、吐出口が形成された一般容器キャップは、容器が過度に加圧されるとき、一時に相当量の内容物を吐出することになるので、吐出量調節が困難になるだけではなく、特に、容器が横になったり、逆さになったりしたとき、内容物が意図せずに吐出されるという問題があった。
【０００６】
そのような理由により、最近、液状またはゲル状の内容物を保存する柔軟性容器の入口に、図４に図示されているように、吐出口１１”形成と共に、固定部材３０’によって支持される膜型弁２０’が具備された容器キャップＡ”が適用されている。
【０００７】
このとき、該膜型弁は、容器が加圧されることにより、中央部の微細通孔が開放され、容器加圧が解除されることにより、中央部の微細通孔が閉鎖されるので、容器が横になったり、逆さになったりしたとき、内容物の意図せずの吐出が防止されるというように、内容物の吐出制御が容易である。
【０００８】
しかし、該膜型弁は、作動が敏感である場合、容器が比較的微々たるほどに加圧されても開放されるので、ややもすると内容物が意図せずに吐出されるという問題があり、容器の加圧解除時、容器が復元（内部で空気が十分に流入することによって膨張し、加圧以前の最初形態に転換）された後に閉鎖されるので、ややもすると吐出口周辺が内容物で汚染されるという問題があった。
【０００９】
また、該膜型弁は、作動が鈍感な場合、容器を相当な力で加圧してこそ開放されるので、内容物吐出に相当な力が必要となるという問題があり、容器の加圧解除するやすぐに閉鎖されるので、容器が復元されなかったり、容器復元が遅れたりするという問題があり、容器の復元遅延過程において、容器内部への空気強制流入による騷音が発生するという問題があった。
【００１０】
前述の理由により、当該分野においては、該膜型弁の開閉が安定化されるようにすることにより、該膜型弁を介した液状またはゲル状の内容物の吐出及び吐出遮断が円滑になされるようにする容器キャップの開発を試みているが、現在までのところ、満足すべき結果を得ることができていない。
【先行技術文献】
【特許文献】
【００１１】
【特許文献１】大韓民国公開特許公報第１０−２００３−００１９８８１号（公開日：２００３．０３．０７．）
【発明の概要】
【発明が解決しようとする課題】
【００１２】
本発明は、前述のような実情を勘案して提案されたものであり、従来容器キャップに具備される膜型弁の開閉が不安定であることにより、膜型弁を介した液状またはゲル状の内容物の吐出及び吐出遮断が円滑ではなかったという問題を解消する膜型弁の開閉性能改善のための容器キャップを提供するところにその目的がある。
【課題を解決するための手段】
【００１３】
前述の目的を果たすための本発明による膜型弁の開閉性能改善のための容器キャップは、容器の入口に結合されるが、上端に、外部及び前記容器内部と連通する吐出口が形成された本体；前記吐出口に結合されるが、加圧いかんにより、中央部の微細通孔が開放または閉鎖される膜型弁；前記本体と前記膜型弁との間に結合されるが、前記吐出口上の前記膜型弁を支持する固定部材；を含むが、前記固定部材は、前記吐出口側から前記容器内側に続く一定長の延長部を具備する。
【００１４】
前記吐出口は、内周面に形成される係止爪を含む。
【００１５】
前記膜型弁は、シリコンによっても形成される。
【００１６】
前記膜型弁は、エッジに沿って形成される環状フックを含む。
【００１７】
前記固定部材は、内周面に形成される支持爪を含む。
【００１８】
前記延長部は、その内径が前記固定部材の支持爪形成部位内径と同一に形成されてもよい。
【００１９】
前記延長部は、その内径が、前記固定部材の支持爪形成部位内径に比べて小さく形成されてもよい。
【００２０】
前記延長部は、その内径が、前記固定部材の支持爪形成部位内径に比べて大きく形成されてもよい。
【発明の効果】
【００２１】
本発明による膜型弁の開閉性能改善のための容器キャップは、膜型弁を支持する固定部材に、吐出口側から容器内側に続く延長部が具備されるが、容器加圧時、該延長部により、膜型弁に横方向に作用する圧力が遮断され、膜型弁が一定レベルの垂直方向圧力作用によってのみ開閉されるので、膜型弁の開閉が安定化され、膜型弁を介した液状またはゲル状の内容物の吐出及び吐出遮断が円滑になされる。
【図面の簡単な説明】
【００２２】
【図１】本発明による膜型弁の開閉性能改善のための容器キャップの構造について説明するための断面図である。
【図２】本発明による膜型弁の開閉性能改善のための容器キャップにおいて、固定部材の延長部内径が固定部材の支持爪形成部位内径に比べて小さく形成された例を示す断面図である。
【図３】本発明による膜型弁の開閉性能改善のための容器キャップにおいて、固定部材の延長部内径が固定部材の支持爪形成部位内径に比べて大きく形成された例を示す断面図である。
【図４】従来の膜型弁を具備する容器キャップの構造について説明するための断面図である。
【図５】従来の一般容器キャップの構造について説明するための断面図である。
【発明を実施するための形態】
【００２３】
以下、添付図面に基づいて、本発明について詳細に説明すれば、次の通りである。
【００２４】
図１に図示されているように、本発明による膜型弁の開閉性能改善のための容器キャップＡは、本体１０と、膜型弁２０と、固定部材３０と、を含む。
【００２５】
前記本体１０は、容器１００の入口に結合されるが、上端に、外部、及び前記容器１００内部と連通する吐出口１１が形成される。
【００２６】
そのような前記本体１０は、下端部の内周面が、前記容器１００入口外周面と螺旋噛合することにより、前記容器１００入口に結合される。
【００２７】
一方、前記吐出口１１は、内周面に形成される係止爪１１ａを含むことが望ましい。
【００２８】
従って、前記係止爪１１ａに、前記膜型弁２０エッジが掛かることにより、前記膜型弁２０の上部側流動が遮断される。
【００２９】
前記膜型弁２０は、前記吐出口１１に結合されるが、加圧いかんにより、中央部の微細通孔（図示せず）が開放または閉鎖される。
【００３０】
そのような前記膜型弁２０は、軟質の膜形態であるならば、いかなる材質によって形成されてもよいが、可能である限りシリコンから形成されることが望ましい。
【００３１】
該シリコンは、軟性に比較的すぐれるので、加圧いかんによる通孔の開放または閉鎖が円滑である。
【００３２】
一方、前記膜型弁２０は、エッジに沿って形成される環状フック２１を含むことが望ましい。
【００３３】
従って、前記環状フック２１が、以下で説明する前記固定部材３０の支持爪３１に載置されることにより、前記固定部材３０により、前記膜型弁２０が支持され、言い換えれば、下部側流動が遮断される。
【００３４】
前記固定部材３０は、前記本体１０と前記膜型弁２０との間に結合されるが、前記吐出口１１上の前記膜型弁２０を支持する。
【００３５】
そのような前記固定部材３０は、内周面に形成される支持爪３１を含むことが望ましい。
【００３６】
従って、前記支持爪３１に、前記膜型弁２０の前記係止爪１１ａが載置されることにより、前記固定部材３０により、前記膜型弁２０が支持され、言い換えれば、下部側流動が遮断される。
【００３７】
そして、前記固定部材３０は、前記吐出口１１側から前記容器１００内側に続く一定長の延長部３２を具備することが望ましい。
【００３８】
前記固定部材３０が、前記延長部３２を具備することにより、前記容器１００が加圧されるとき、前記膜型弁２０に及ぼす横方向圧力が、前記延長部３２によって遮断され、前記容器１００の加圧時、前記膜型弁２０に一定レベルの垂直方向圧力だけが作用されるので、前記膜型弁２０の開閉が安定化される。
【００３９】
このとき、前記延長部３２の長さが過度に短い場合、横方向圧力遮断が微々たるものになり、前記延長部３２の長さが過度に長い場合、資材所要増大による費用負担が伴う。
【００４０】
一方、前記延長部３２内径ｄ２は、前記固定部材３０の前記支持爪３１形成部位内径ｄ１と同一に形成されるだけではなく、前記固定部材３０の前記支持爪３１形成部位内径ｄ１に比べて小さく形成されてもよい。
【００４１】
前記延長部３２内径ｄ２が、前記固定部材３０の前記支持爪３１形成部位内径ｄ１に比べて小さく形成されれば、前記吐出口１１が下部に向いた状態で、前記容器１００が加圧されるとき、前記吐出口１１側傾斜面３２ａにより、前記内容物２００が下部に押され、前記膜型弁２０に及ぼす垂直方向圧力を相対的に高めることができるので、前記膜型弁２０の作動が、以前に比べて敏感になる。
【００４２】
このとき、前記延長部３２内径ｄ２と、前記固定部材３０の前記支持爪３１形成部位内径ｄ１との差が微々たるものである場合、傾斜面３２ａによる前記内容物２００の押しが微々たるものであり、前記容器１００が加圧されても、前記膜型弁２０の開放が期待に比べて遅延され、前記延長部３２内径ｄ２と、前記固定部材３０の前記支持爪３１形成部位内径ｄ１との差が過度である場合、前記傾斜面３２ａによる内容物２００の押しが過度であり、前記容器１００の加圧が解除されても、前記膜型弁２０の閉鎖が遅延されてしまう。
【００４３】
また、前記延長部３２内径ｄ２は、前記固定部材３０の前記支持爪３１形成部位内径ｄ１と同一に形成されるだけではなく、前記固定部材３０の前記支持爪３１形成部位内径ｄ２に比べて大きく形成されてもよい。
【００４４】
前記延長部３２内径ｄ２が、前記固定部材３０の前記支持爪３１形成部位内径ｄ１に比べて大きく形成されれば、前記吐出口１１が下部に向いた状態で、前記容器１００が加圧されるとき、前記吐出口１１側前記傾斜面３２ａにより、内容物２００が上に支えられ、前記膜型弁２０に及ぼす垂直方向圧力を相対的に低めることができるので、前記膜型弁２０の作動が以前に比べて鈍感になる。
【００４５】
このとき、前記延長部３２内径ｄ２と、前記固定部材３０の前記支持爪３１形成部位内径ｄ１との差が微々たるものである場合、前記傾斜面３２ａによる前記内容物２００の支えが微々たるものであり、前記容器１００の加圧が解除されても、前記膜型弁２０の閉鎖が期待に比べて遅延され、前記延長部３２内径ｄ２と、前記固定部材３０の前記支持爪３１形成部位内径ｄ１との差が過度である場合、前記傾斜面３２ａによる前記内容物２００の支えが過度であり、前記容器１００が加圧されるとき、前記膜型弁２０の開放が過度に遅延される。
【００４６】
本発明による膜型弁の開閉性能改善のための容器キャップＡにおいて、前記膜型弁２０の開閉安定について詳細に説明すれば、次の通りである。
【００４７】
本発明において、前記固定部材３０は、前記吐出口１１側から前記容器１００内側に続く一定長の前記延長部３２を具備する。
【００４８】
従って、前記容器１００の加圧時、横方向に作用する圧力は、前記延長部３２によって遮断されるので、前記固定部材３０によって支持される前記膜型弁２０には、一定レベルの垂直方向圧力だけが作用し、前記膜型弁２０の開閉が安定化される。
【００４９】
このとき、前記延長部３２内径ｄ２は、、前記固定部材３０の前記支持爪３１形成部位内径ｄ１と同一に形成されるだけではなく、前記固定部材３０の前記支持爪３１形成部位内径ｄ１に比べ、小さく形成されてもよく、大きく形成されてもよい。
【００５０】
従って、前記膜型弁２０の作動をさらに敏感にさせようとする場合、図２に図示されているように、前記延長部３２内径ｄ２を、前記固定部材３０の前記支持爪３１形成部位内径ｄ１に比べて小さく形成すれば、前記吐出口１１が下部に向いた状態で、前記容器１００が加圧されるとき、前記吐出口１１側前記傾斜面３２ａにより、前記内容物２００が下部に、押され、前記膜型弁２０に及ぼす垂直方向圧力を相対的に高めることができるので、前記膜型弁２０の作動が以前に比べて敏感になる。
【００５１】
反対に、前記膜型弁２０の作動をさらに鈍感にさせようとする場合、図３に図示されているように、前記延長部３２内径ｄ２を、前記固定部材３０の前記支持爪３１形成部位内径ｄ１に比べて大きく形成すれば、前記吐出口１１が下部に向いた状態で、前記容器１００が加圧されるとき、前記吐出口１１側前記傾斜面３２ａにより、前記内容物２００が支えられ、前記膜型弁２０に及ぼす垂直方向圧力を相対的に低めることができるので、前記膜型弁２０の作動が以前に比べて鈍感になる。
【００５２】
前述のように、本発明による膜型弁の開閉性能改善のための容器キャップＡは、前記膜型弁２０を支持する前記固定部材３０に、前記吐出口１１側から前記容器１００内側に続く前記延長部３２が具備されるが、前記容器１００の加圧時、前記延長部３２により、前記膜型弁２０に横方向に作用する圧力が遮断され、前記膜型弁２０が一定レベルの垂直方向圧力作用によってのみ開閉されるので、前記膜型弁２０の開閉が安定化され、前記膜型弁２０を介した液状またはゲル状の前記内容物２００の吐出及び吐出遮断が円滑になされる。
【００５３】
前述のような本発明は、前述の実施形態に限定されるものではなく、特許請求の範囲で請求する本発明の要旨を外れない範囲内で変更可能であり、そのような変更は、特許請求の範囲の記載によって定義される本発明の保護範囲内にあるものである。
【図１】
2020504063.tif 000003
【図２】
2020504063.tif 000004
【図３】
2020504063.tif 000005
【図４】
2020504063.tif 000006
【図５】
2020504063.tif 000007
【国際調査報告】
2020504063.tif 000008
2020504063.tif 000009
2020504063.tif 000010
2020504063.tif 000011